(57)【要約】【課題】取り出し孔から引き出された収容物から１単位分の収容物を確実に切り離すことができ、使用感も良好な蓋体を提供する。【解決手段】収容物が内部に収容される本体に用いられる蓋体は、収容物を本体から取り出すための取出し孔６２を有する。蓋体は、取出し孔６２の周縁から取出し孔の中央部に向かって延びる複数の舌片６３を備える。取出し孔６２は、取出し孔６２の周方向に隣り合う舌片６３の間に位置する空間Ｓｐを含む。【選択図】図７
2020200067.tif 000002
【特許請求の範囲】
【請求項１】
収容物が内部に収容される本体と、前記収容物を前記本体から取り出すための取出し孔を有する蓋体とを備える収容容器であって、
前記取出し孔の周縁から前記取出し孔の中央部に向かって延びる複数の舌片を備え、
前記取出し孔は、前記取出し孔の周方向に隣り合う前記舌片の間に位置する空間を含む、
収容容器。
【請求項２】
前記舌片は、前記取出し孔の中央部に近づくにつれて幅が小さくなる形状を有し、
前記空間は、前記取出し孔の平面視において扇形である、
請求項１に記載の収容容器。
【請求項３】
前記舌片は、前記本体の内部に向かって延びている、
請求項１に記載の収容容器。
【請求項４】
前記舌片は、取出し方向に突出する突起を先端部に有する、
請求項１に記載の収容容器。
【請求項５】
前記舌片は、第一端面と、前記第一端面と角度をなす第二端面とを先端部に有する、
請求項１に記載の収容容器。
【請求項６】
前記舌片が可撓性材料で形成されている、
請求項１に記載の収容容器。
【請求項７】
前記収容物が衛生用薄葉紙であり、ミシン目で複数単位に区切られている、
請求項１に記載の収容容器。
【発明の詳細な説明】
【技術分野】
【０００１】
本発明は、収容容器、より詳しくは、ウェットシートやウェットティッシュ等の衛生用薄葉紙の収容に適した収容容器に関する。
【背景技術】
【０００２】
ウェットシートやウェットティッシュ等の衛生用薄葉紙の流通態様の一つとして、ボトルタイプの容器に多数収容された大容量タイプが知られている。
大容量タイプの衛生用薄葉紙では、所定間隔でミシン目が入った長尺の衛生用薄葉紙が容器内に収容されている。使用者は、使用開始時に容器の蓋を外して衛生用薄葉紙の一端を引き出し、蓋に形成された取り出し孔に通してから蓋を再度容器に取り付ける。取り出し孔は狭いため、取り出し孔から出た衛生用薄葉紙を引くと抵抗が生じる。ミシン目の部分がこの抵抗に耐えられず切断されるため、使用者は、取り出し孔から出た衛生用薄葉紙を引くことにより、１単位分の衛生用薄葉紙を切り離して取り出すことができる。
【０００３】
特許文献１には、取り出し孔の形状が十字型の収容容器が記載されている。
【先行技術文献】
【特許文献】
【０００４】
【特許文献１】特開２０１８−５２５６７号公報
【発明の概要】
【発明が解決しようとする課題】
【０００５】
取り出し孔の寸法は、１単位分の衛生用薄葉紙を確実に切り離す観点からは、小さいことが好ましい。しかし、取り出し孔が小さくなると、使用者が使用開始時に衛生用薄葉紙を取り出し孔に通す作業が煩雑になる。さらに、使用時に衛生用薄葉紙を引き出す際の抵抗も大きくなり、使用感の低下につながる。
【０００６】
上記事情を踏まえ、本発明は、取り出し孔から引き出された収容物から１単位分を確実に切り離すことができ、使用感も良好な収容容器を提供することを目的とする。
【課題を解決するための手段】
【０００７】
本発明は、収容物が内部に収容される本体と、収容物を前記本体から取り出すための取出し孔を有する蓋体とを備える収容容器である。
この収容容器は、取出し孔の周縁から取出し孔の中央部に向かって延びる複数の舌片を備える。取出し孔は、取出し孔の周方向に隣り合う舌片の間に位置する空間を含む。
【発明の効果】
【０００８】
本発明の収容容器は、取り出し孔から引き出された収容物から１単位分を確実に切り離すことができ、使用感も良好である。
【図面の簡単な説明】
【０００９】
【図１】本発明の一実施形態に係る収容容器の全体図である。
【図２】同収容容器のカバーを示す平面図である。
【図３】同２のＩ−Ｉ線における断面図である。
【図４】同収容容器のキャップを示す平面図である。
【図５】同キャップの底面図である。
【図６】同４のＩＩ−ＩＩ線における断面図である。
【図７】同収容容器の口部材を示す平面図である。
【図８】同７のＩＩＩ−ＩＩＩ線における断面図である。
【図９】同収容容器の蓋体の断面図である。
【図１０】口部材の初期状態を示す断面図である。
【図１１】口部材の切離状態を示す断面図である。
【図１２】取出し孔から引き出された衛生用薄葉紙を示す図である。
【図１３】本発明の変形例に係る口部材の平面図である。
【発明を実施するための形態】
【００１０】
以下、本発明の一実施形態について、図１から図１２を参照しながら説明する。
図１は、本実施形態の収容容器１の全体図であり、上側が平面図、下側が正面図である。収容容器１は、衛生用薄葉紙が収容物として内部に収容される本体１０と、本体１０の上部に取り付けられて本体１０の内部を密閉する蓋体２０とを備えている。図２に示すように、蓋体２０は、収容物を前記本体から取り出すための取出し孔６２を有している。
本体１０に対する蓋体２０の装着態様に特に制限はなく、スクリュー方式、嵌合方式など、公知の各種構造から適宜選択できる。
【００１１】
本体１０は内部に収容空間を有する。本体１０の内部には、ミシン目で接続された複数単位の衛生用薄葉紙が、巻かれたり、折りたたまれたりして収容される。本体１０の材質や形状に制限はなく、適宜決定できる。材質が樹脂であると、量産が容易である。
【００１２】
蓋体２０は、本体１０に装着されるカバー２１と、カバーに取り付けられるキャップ４１とを有する。
図２は、カバー２１の平面図であり、キャップ４１を外した状態を示している。図１および図２に示すように、カバー２１は、略円形の上面部２２と、上面部２２の周縁から下方に延びる外周面２３とを有し、略円筒状に形成されている。
【００１３】
図３は、図２のＩ−Ｉ線における断面図である。上面部２２において、平面視における中央部に位置する略円形状の領域が下方にくぼんでおり、この部分に衛生用薄葉紙が取り出される取出し部２５が形成されている。取出し部２５の中央部には、円形の貫通孔２６が設けられている。貫通孔２６には、取出し孔６２を有する口部材６１が取り付けられている。
図３は、カバー２１の構造をわかりやすくするために、口部材６１を除いて示している。口部材６１の詳細な構造については後述する。
【００１４】
図３に示すように、貫通孔２６の周囲において、円形の第一周壁２７が上方に延び、円形の第二周壁２８が下方に延びている。取出し部２５の周縁には、キャップ４１が連結される連結穴３１が形成されている。
【００１５】
図４は、キャップ４１の平面図であり、図５はキャップ４１の底面図である。図６は、図４のＩＩ−ＩＩ線における断面図である。キャップ４１は、図４に示すように、平面視形状が略円形であり、一部がこの円周よりも突出してツマミ４２となっている。
【００１６】
図５に示すように、キャップ４１の底面において、ツマミ４２と対向する周縁部には、カバーと連結するための連結部４３が設けられている。
ツマミ４２と連結部４３の間には、環状の密閉周壁４４と、Ｃ字状の係合周壁４５とが形成されている。密閉周壁４４の外径は、第一周壁２７の内径よりわずかに小さく、第一周壁２７で囲まれた領域内に進入できる。係合周壁４５は、密閉周壁４４の周囲に位置しており、ツマミ４２に対応する位相の位置において、係合突起４５ａがＣ字形状の内側に突出している（図６も参照）。
【００１７】
係合周壁４５と連結部４３との間には、Ｖ字状の有底溝４６が形成されており、有底溝の４６の部分がヒンジとして機能する。有底溝４６の中間部は切り欠かれており、切り欠かれた部位の係合周壁側と連結部側とが、Ｌ字状に屈折した接続部４７（図６も参照）で接続されている。キャップ４１は、接続部４７により、平坦な状態と、有底溝４６に沿って折り曲げられた状態とを保持できる。
【００１８】
図７は、口部材６１の平面図であり、図８は、図７のＩＩＩ−ＩＩＩ線における断面図である。
口部材６１は、エラストマー等の弾性変形可能な材料で形成された、略円盤状の部材である。平面視における中央部に取出し孔６２が形成されている。
【００１９】
取出し孔６２は円形の基本形状を有しているが、図７に示すように、周縁から４枚の舌片６３が取り出し孔の中心Ｃに向かって延びている。各舌片６３の幅は、中心Ｃに近づくにつれて小さくなっているため、舌片６３の平面視形状は、概ね扇形となっている。各舌片６３は、口部材６１の周方向において等間隔で配置されている。したがって、取出し孔６２は、各舌片６３の間に位置する４つの略扇形の空間Ｓｐを合わせた形になっており、周縁部に比較的大きいスペースが存在している。
舌片６３は、取出し孔６２の中心までは延びていないため、中心Ｃから一定の範囲内には舌片６３が存在しない。この領域の内接円の直径は、例えば２ｍｍ程度である。
【００２０】
図８に示すように、舌片６３は、中心Ｃに向かいつつ、下方、すなわち本体１０の内部に向かって延びている。各舌片の先端には、上方に突出する突起６３ａが設けられている。先端部の第一端面６３ｂは、中心Ｃを通り口部材６１の厚さ方向に延びる軸線Ｘと略平行である。先端部の下方は面取りされており、第一端面６３ｂと角度をなす第二端面６３ｃが形成されている。
【００２１】
図９に、カバー２１、キャップ４１、および口部材６１が組み合わされた蓋体２０の断面を示す。キャップ４１は、連結部４３が連結穴３１に進入して嵌合することにより、カバー２１に取り付けられている。口部材６１は、第二周壁２８に囲まれた空間内に収容されている。
キャップ４１が閉じられた状態においては、密閉周壁４４が第一周壁２７内に進入している。密閉周壁４４と第一周壁２７との間にはほとんど隙間がないため、第一周壁２７に囲まれた空間内は密閉され、空間内にある衛生用薄葉紙の端部が汚染されたり、衛生用薄葉紙が乾燥したりすることが抑制される。さらに、係合周壁４５の係合突起４５ａが第一周壁２７と嵌合し、キャップ４１が閉じた状態の保持に寄与する。
【００２２】
上記の様に構成された収容容器１の使用時の動作について説明する。収容容器１は、内部に衛生用薄葉紙が収容された状態で流通する。流通時において、衛生用薄葉紙はまだ取出し孔６２に通されていない。
【００２３】
使用者は、蓋体２０を取り外し、収容されている衛生用薄葉紙の一端を引き出して蓋体２０の下側から取出し孔６２に通す。詳細は後述するが、口部材６１の初期状態においては、取出し孔６２の中心に比較的大きい空間が形成されているため、使用者は従来に比して容易に衛生用薄葉紙を取出し孔６２に通すことができる。
【００２４】
衛生用薄葉紙を取り出す際、使用者は取出し孔６２から出ている端部を保持して上方（取出し方向）に引き上げる。このとき、口部材６１の舌片６３は、取出し孔６２の周縁に近い基部を中心に回動する。その結果、口部材６１は、図１０に示す初期状態から、図１１に示す切離状態に変形する。切離状態においては、衛生用薄葉紙１００を挟んでいた第一端面６３ｂが上方に移動し、第二端面６３ｃが軸線Ｘと略平行となって衛生用薄葉紙１００を挟んでいる。
切離状態における舌片６３は、回動したことにより先端部が上方に引き上げられているため、対向する第二端面６３ｃ間の距離Ｌ２は、初期状態において対向する第一端面６３ｂ間の距離Ｌ１（図１０参照）よりも短くなっている。
【００２５】
距離Ｌ２が距離Ｌ１よりも短いことにより、取出し孔６２を通る衛生用薄葉紙１００には、切離状態においてより大きい抵抗が生じる。その結果、衛生用薄葉紙１００は引き出し時にミシン目で確実に切断され、使用者は１単位分を確実に取り出すことができる。
【００２６】
上述したように、取出し孔６２の中央部で衛生用薄葉紙１００に大きい抵抗が生じる一方、衛生用薄葉紙１００の一部は、図１２に示すように、舌片６３間に位置する空間Ｓｐ内を通過する。単に取出し孔が小さいだけの場合、衛生用薄葉紙全体が小さい空間を通ると、通過する衛生用薄葉紙の量に対して取出し孔の空間が小さすぎる結果、衛生用薄葉紙が取出し孔に詰まって通過できなくなる場合がある。本実施形態の収容容器１では、衛生用薄葉紙１００の一部が隣り合う舌片６３の間に広がる空間Ｓｐ内を通過することにより、衛生用薄葉紙が取出し孔に詰まって動かなくなる事象が発生しにくい。
口部材６１の切離状態においては、第二端面６３ｃが軸線Ｘと略平行になる。その結果、衛生用薄葉紙１００は、切離状態においても口部材６１と面接触するため、抵抗が過剰に大きくなりにくく、詰まりが生じにくい。
これらの作用により、収容容器１は、衛生用薄葉紙１単位分の確実な取出しとスムーズな引き出し動作が両立されており、使用感が良好である。
【００２７】
１単位分の衛生用薄葉紙１００が切り離されると、衛生用薄葉紙１００を引き上げる力量がなくなるため、口部材６１は図１０に示す初期状態の形状に戻る。取出し孔６２から突出した衛生用薄葉紙１００の端部には下方に移動させる力が作用するが、舌片６３に設けられた突起６３ａは、初期状態において軸線Ｘに向かって突出しているため、下方に移動しようとする衛生用薄葉紙１００と干渉する。その結果、衛生用薄葉紙１００の端部が本体１０内に落下して引き出せなくなる事態が生じにくい。
【００２８】
以上説明したように、収容容器１は、衛生用薄葉紙の収容に好適に使用でき、収容された衛生用薄葉紙を１単位ずつ確実に取り出せて使用感にも優れている。
また、初期状態における上述の距離Ｌ１は、１単位分を確実に切り離す作用に影響を及ぼさないため、距離Ｌ１を大きくしても１単位分を確実に切り離せる。距離Ｌ１を大きくすることで、使用開始時に使用者が衛生用薄葉紙を取出し孔に通す作業を簡便にできる。
【００２９】
以上、本発明の一実施形態について図面を参照して詳述したが、具体的な構成はこの実施形態に限られるものではなく、本発明の要旨を逸脱しない範囲の構成の変更、組み合わせなども含まれる。以下にいくつか変更を例示するが、これらはすべてではなく、それ以外の変更も可能である。これらの変更が２以上適宜組み合わされてもよい。
【００３０】
・舌片において、突起や第二端面は必ずしも設けられなくてもよい。
・キャップとカバーとの連結態様は上述した構造と異なってもよい。
【００３１】
・口部材における舌片の数は４枚に限られず、適宜変更されてよい。数の変更に伴い大きさ（平面視における寸法、面積）も適宜変更されてよい。一例として、図１３に舌片６３Ａを３枚有する口部材６１Ａの平面図を示す。
・複数の舌片は、必ずしも周方向に等間隔で配置されなくてもよい。
【００３２】
・舌片は、全体が弾性変形可能である必要はなく、例えば基部のみが弾性変形でき、衛生用薄葉紙の引き上げに伴って回動可能に構成されてもよい。
・舌片は、必ずしも下方に延びなくてもよい。
【００３３】
・取出し孔は、カバーに直接形成されてもよい。
・取出し孔が、本体に形成されてもよい。
【符号の説明】
【００３４】
１  収容容器
１０  本体
６２  取出し孔
６３  舌片
６３ａ  突起
６３ｂ  第一端面
６３ｃ  第二端面
１００  衛生用薄葉紙（収容物）
Ｓｐ  空間
【図１】
2020200067.tif 000003
【図２】
2020200067.tif 000004
【図３】
2020200067.tif 000005
【図４】
2020200067.tif 000006
【図５】
2020200067.tif 000007
【図６】
2020200067.tif 000008
【図７】
2020200067.tif 000009
【図８】
2020200067.tif 000010
【図９】
2020200067.tif 000011
【図１０】
2020200067.tif 000012
【図１１】
2020200067.tif 000013
【図１２】
2020200067.tif 000014
【図１３】
2020200067.tif 000015
【手続補正書】
【提出日】令和1年8月23日(2019.8.23)
【手続補正１】
【補正対象書類名】特許請求の範囲
【補正対象項目名】全文
【補正方法】変更
【補正の内容】
【特許請求の範囲】
【請求項１】
収容物が内部に収容される本体に用いられる蓋体であって、
前記蓋体は、前記収容物を前記本体から取り出すための取出し孔を有し、
前記取出し孔の周縁から前記取出し孔の中央部に向かって延びる複数の舌片を備え、
前記取出し孔は、前記取出し孔の周方向に隣り合う前記舌片の間に位置する空間を含む、
蓋体。
【請求項２】
前記舌片は、前記取出し孔の中央部に近づくにつれて幅が小さくなる形状を有し、
前記空間は、前記取出し孔の平面視において扇形である、
請求項１に記載の蓋体。
【請求項３】
前記舌片は、前記本体の内部に向かって延びている、
請求項１または２に記載の蓋体。
【請求項４】
前記舌片は、取出し方向に突出する突起を先端部に有する、
請求項１ないし３のいずれか一項に記載の蓋体。
【請求項５】
前記舌片は、第一端面と、前記第一端面と角度をなす第二端面とを先端部に有する、
請求項１ないし４のいずれか一項に記載の蓋体。
【請求項６】
前記舌片が可撓性材料で形成されている、
請求項１ないし５のいずれか一項に記載の蓋体。
【請求項７】
前記収容物が衛生用薄葉紙であり、ミシン目で複数単位に区切られている、
請求項１ないし６のいずれか一項に記載の蓋体。
【請求項８】
請求項１ないし７のいずれか一項に記載の蓋体を備える収容容器。
【手続補正３】
【補正対象書類名】明細書
【補正対象項目名】０００１
【補正方法】変更
【補正の内容】
【０００１】
本発明は、蓋体、及びそれを備える収容容器、より詳しくは、ウェットシートやウェットティッシュ等の衛生用薄葉紙の収容に適した収容容器に用いられる蓋体に関する。
【手続補正４】
【補正対象書類名】明細書
【補正対象項目名】０００６
【補正方法】変更
【補正の内容】
【０００６】
上記事情を踏まえ、本発明は、取り出し孔から引き出された収容物から１単位分を確実に切り離すことができ、使用感も良好な蓋体、およびそれを備える収容容器を提供することを目的とする。
【手続補正５】
【補正対象書類名】明細書
【補正対象項目名】０００７
【補正方法】変更
【補正の内容】
【０００７】
本発明は、収容物が内部に収容される本体に用いられる蓋体である。蓋体は、収容物を前記本体から取り出すための取出し孔を有する。
この蓋体は、取出し孔の周縁から取出し孔の中央部に向かって延びる複数の舌片を備える。取出し孔は、取出し孔の周方向に隣り合う舌片の間に位置する空間を含む。
また、本発明は、収容物が内部に収容される本体に取り付けられ、収容物を前記本体から取り出すための取出し孔を有する蓋体を備える収容容器である。蓋体は、取出し孔の周縁から取出し孔の中央部に向かって延びる複数の舌片を備え、取出し孔は、取出し孔の周方向に隣り合う前記舌片の間に位置する空間を含む。
【手続補正６】
【補正対象書類名】明細書
【補正対象項目名】０００８
【補正方法】変更
【補正の内容】
【０００８】
本発明の蓋体及びそれを備える収容容器は、取り出し孔から引き出された収容物から１単位分を確実に切り離すことができ、使用感も良好である。
【手続補正７】
【補正対象書類名】明細書
【補正対象項目名】００１０
【補正方法】変更
【補正の内容】
【００１０】
以下、本発明の一実施形態について、図１から図１２を参照しながら説明する。
図１は、本実施形態の蓋体２０及び収容容器１の全体図であり、上側が平面図、下側が正面図である。収容容器１は、衛生用薄葉紙が収容物として内部に収容される本体１０と、本体１０の上部に取り付けられて本体１０の内部を密閉する蓋体２０とを備えている。図２に示すように、蓋体２０は、収容物を前記本体から取り出すための取出し孔６２を有している。
本体１０に対する蓋体２０の装着態様に特に制限はなく、スクリュー方式、嵌合方式など、公知の各種構造から適宜選択できる。
【手続補正８】
【補正対象書類名】明細書
【補正対象項目名】００１２
【補正方法】変更
【補正の内容】
【００１２】
本実施形態の蓋体２０は、本体１０に装着されるカバー２１と、カバーに取り付けられるキャップ４１とを有する。
図２は、カバー２１の平面図であり、キャップ４１を外した状態を示している。図１および図２に示すように、カバー２１は、略円形の上面部２２と、上面部２２の周縁から下方に延びる外周面２３とを有し、略円筒状に形成されている。